(57)【要約】【課題】  火災などの緊急通報を受付けた場合、消防車と救急車共に出動する。通常、緊急通報は一回しか受付けない為、緊急通報を受付けた時は、出動に関する出動事案は一つしか作成されない。しかし、消防車に関係する災害事案と救急車に関係する救急事案は、統計などの理由から別々に管理する必要がある。その為、消防本部の職員は、出動事案を災害事案と救急事案に分けていた。しかし、消防本部の職員の作業が増えたり、入力ミスをしたりするおそれがあった。【解決手段】  本発明は、出動事案に記憶されている出動した緊急車両の車種を基に、消防車は緊急通報毎に災害事案を作成し、救急車は出動した救急車毎に救急事案を作成する緊急指令システムを提供することを目的とする。【選択図】  図１
2013030046.tif 000002
【特許請求の範囲】
【請求項１】
緊急通報を受付けて、同受付けた緊急通報に応じた出動事案を作成、管理する緊急指令システムであって、
前記出動事案を管理する事案管理手段と、
前記出動事案に含まれている緊急車両の車種を読み出し、読み出した緊急車両に救急車が含まれるか否かを判断する車両選別手段と、
前記緊急車両に救急車が含まれた場合、
前記出動事案から救急車に関係するデータを読み出し、新規に救急事案を作成する事案作成手段とを備えることを特徴とする
緊急指令システム。
【請求項２】
前記事案作成手段が、前記車両選別手段が選別した全ての救急車に対して個別に救急事案を作成することを特徴とする請求項１に記載の緊急指令システム。
【発明の詳細な説明】
【技術分野】
【０００１】
本発明は、出動事案に含まれている出動した緊急車両の車種に基づいて、消防車に関する災害事案は緊急通報毎に作成し、救急車に関する救急事案は出動した救急車毎に作成する緊急指令システムである。
【背景技術】
【０００２】
消防本部では、通報者から火災などの災害や救急などの緊急通報を受付ける。消防本部の職員は通報者から得た情報を指令台に入力する。入力された情報に基づいて、出動事案が作成される。この作成された出動事案には事案番号が付与される。作成された事案に基づいて、出動指令書が作成される。この出動指令書は、緊急車両が迅速に災害現場に到着できるように、救急の場合は救急車に送信され、火災などの災害で傷病者がいる場合は消防車と救急車両方に送信される。その為、災害の場合、作成された出動事案には、消防車と救急車両方の情報が含まれる。(特許文献１)
【先行技術文献】
【特許文献】
【０００３】
【特許文献１】特開2008-262319号公報
【発明の概要】
【発明が解決しようとする課題】
【０００４】
救急の場合、救急車だけが出動するのに対し、火災などの災害で傷病者がいる場合、消防車と救急車の両方が出動する。災害活動が終了した後に、消防本部の職員は終了報告書を作成しているが、火災などの災害で傷病者がいる場合、消防に関する報告書と救急に関する報告書を別々に作成する必要がある。これは、消防システムの運用上、消防と救急に関する統計データを別々に集計するためと、また、救急事案を個別で管理するためである。また、災害事案と救急事案では作成の方法が異なる。災害事案は緊急通報毎に事案が作成されるのに対し、救急事案は出動した救急車毎に事案が作成される。これは、救急車は病院などに傷病者を搬送しており、消防本部が各車両の動態を管理するためである。また、災害事案と救急事案は別々に作成され、管理されているため、消防本部の職員が各事案の件数を把握し易くなる。
【０００５】
上記の理由から、消防本部の職員は災害事案と救急事案を別々に作成する。作成手順としては、出動した緊急車両が“消防車”であるか“救急車”であるかに応じて、消防に関する災害事案と救急に関する救急事案に分けて、各事案を作成していた。例えば、災害時に消防車と合わせ救急車も出動していた場合、救急車のデータに紐づけられたデータを抜き出し、元になる出動事案の事案番号とは別の事案番号を付与して、救急に関する救急事案を作成していた。以上の作業により、消防本部の職員の作業量が増えたり、職員による入力ミスが発生したりするおそれがあった。
【０００６】
そこで、本発明は、緊急通報受付時に作成された出動事案に含まれている緊急車両が“消防車”であるか“救急車”であるか選別し、消防車のデータは消防に関する災害事案に、救急車のデータは救急に関する救急事案に分けて、それぞれの事案を作成する緊急指令システムを提供することを目的とする。
【課題を解決するための手段】
【０００７】
上記目的を達成する為に、本発明の緊急指令システムは、出動事案に含まれている出動車両の車種に基づいて、出動事案を救急事案と災害事案に分けて作成するものである。
【発明の効果】
【０００８】
このような緊急指令システムによれば、出動事案に含まれている出動車両の車種に基づいて、出動事案を救急事案と災害事案に分けて作成する為、消防本部の署員が手作業で入力する必要がなくなり、職員の操作の手間を省くことができる。また、消防本部の署員の入力ミスや入力漏れといった人為的ミスも防ぐことができる。
【図面の簡単な説明】
【０００９】
【図１】本発明の緊急指令システムの概略図である。
【図２】本発明の緊急指令システムに記憶されている分割前出動事案データである。
【図３】本発明の緊急指令システムに記憶されている分割後出動事案データである。
【図４】本発明の緊急指令システムの構成図である。
【図５】本発明の緊急指令システムのフローチャートである。
【図６】本発明の緊急指令システムに記憶されている車両データである。
【発明を実施するための形態】
【００１０】
本発明の緊急指令システムは、図１に示すように車種に基づいて事案Ａを災害事案Ａ１と救急事案Ａ２に分割して、作成するものである。図１、図２、図３の場合を本実施例として以下に、本発明の緊急指令システムが通報者から緊急通報を受付けてから、出動事案を作成し、それから災害事案と救急事案を分割して作成するまでの手順について説明する。
【００１１】
本発明の緊急指令システムの構成について図４を基に説明する。図４に示すように、消防本部は、通報者からの緊急通報の内容を指令台に入力する為の入力手段１と、事案内容を管理する事案管理手段２と、前記事案管理手段２内に記憶されている事案内容に含まれる緊急車両を選別する車種選別手段３と、事案を作成する事案作成手段４と、上記各部を制御する制御手段５とを備えている。
【００１２】
情報を入力する入力手段１は、消防本部の署員が消防本部内の指令台に緊急通報内容を入力するための装置である。例えば、マウスや、キーボードなどが該当する。
【００１３】
事案内容を管理する事案管理手段２は、入力手段１から入力された情報を基に事案作成手段４で作成された出動事案ごとに、通報者の氏名や、火災などの災害と救急の種別や、通報場所の位置（住所や緯度経度）や、災害に対する被害状況などの情報を記憶する装置である。図２、図３に示すように、“受付番号”、“事案番号”などが付与され、事案毎にデータが紐づけられた状態で記憶している。なお、事案管理手段２は、消防本部から消防車や救急車などの緊急車両に送信される出動指令書の情報を記憶するものではなく、終了報告書を作成する際に必要とされる情報を記憶するものである。
【００１４】
出動事案を示す出動事案データは、図２、図６のような複数のデータが記憶されている。初めに、図２の上から順に説明する。“(1)履歴事案管理テーブル”には、緊急通報を受付けた時に付与される“受付番号”と、事案別に付与された“事案番号”と、現在の事案の状態を示す“事案状態”と、緊急通報を受け付けた時刻である“受付時刻”、災害種類や災害規模を示す“災害種別コード”や“災害区分コード”、“災害規模コード”などが記憶されている。“(2)履歴事案通報者テーブル”には、通報者の氏名である“通報者カナ”、“通報者氏名”などが記憶されている。“(3)履歴事案傷病者テーブル”には、怪我人の氏名である“氏名”などが記憶されている。“(4)履歴事案車両テーブル”には、出動した緊急車両の識別コードを示す“車両コード”などが記憶されている。“(5)履歴事案動態テーブル”には、“車両コード”と、緊急車両の状態を表す“内部動態コード”などが記憶されている。“(6)管理車両動態テーブル”には、“車両コード”毎に緊急車両の状態である“内部動態コード”、“出動可否”などが記憶されている。また、図６に示すように、“車両マスタテーブル”には、各車両の“車種コード”や、“車両名称”、“署所コード”が記憶されている。
【００１５】
また、図３は分割後の出動事案を示した図である。図３の最下部に記載されているように“(7)履歴事案分割ログテーブル”には、分割前の情報である“分割前受付番号”や“分割前事案番号”、分割後の情報である“分割後受付番号”や“分割後事案番号”などが記憶されている。
【００１６】
出動車両を消防車や救急車などの車種ごとに選別する車種選別手段３は、前記事案管理手段２に記憶されている出動した緊急車両を消防車や救急車などといった車種によって選別する。
【００１７】
事案を作成する事案作成手段４は、前記入力手段１で入力された緊急通報に基づいて出動事案を作成する。また、作成した出動事案に基づいて消防車に関する災害事案や救急車に関する救急事案を作成する。
【００１８】
上記の消防本部の指令台内にある各手段の制御および情報の伝達を行う制御手段５は、本発明の緊急指令システムの所定の機能を総合的に制御するためのソフトウェアを記憶したＨＤＤのような記憶媒体や、そのソフトウェアによる処理を実行するためのＣＰＵやマイコンなどの処理装置を備え、これと接続された消防本部内の各部の制御を行っている。
【００１９】
本発明の緊急指令システムは、以上の各構成を備えている。出動事案は、入力手段１に入力された情報（通報者の氏名や災害種別、通報場所など）に基づいて事案作成手段４によって作成される。事案管理手段２は、図２に示すような事案作成手段４によって作成された出動事案と同じ情報を記憶している。この事案管理部２が記憶している出動事案データを、図３の出動事案データに分割して、災害事案と救急事案を作成する。
【００２０】
次に、図２の分割前出動事案データから図３の分割後出動事案データを作成する手順について、図５のフローチャートに基づいて、以下に説明する。
【００２１】
ＳＴ１では、車種選別手段３が、制御手段５を介して事案管理手段２に記憶されている出動事案データを取得する。車種選別手段３が出動事案データを取得した後、ＳＴ２に進む。
【００２２】
ＳＴ２では、車種選別手段３が、取得した図２の分割前出動事案データの“(4)履歴事案車両テーブル”に示す“車両コード”と、図６の“車両マスタテーブル”の“車種コード”を比較して出動した緊急車両の車種を選別する。車種選別手段３が“車両マスタテーブル”を用いて、緊急車両の車種を選別し終わった後、ＳＴ３に進む。
【００２３】
ＳＴ３では、選別した“車種コード”の中に“６（救急車）”があるか否かを確認する。もし、“６（救急車）”が無かった場合は、本フローチャートの処理を終了する（ＥＮＤ）。もし、“６（救急車）”があった場合は、車種選別手段３は、取得した分割前出動事案データを事案作成手段４に出力し、ＳＴ４に進む。
【００２４】
ＳＴ４で、事案作成手段４が、図３の“(1)履歴事案管理テーブル”のデータに示すように、“受付番号”と“事案番号”を新規に作成する。新規に作成する手順を以下に示す。取得した分割前出動事案データの“(1)履歴事案管理テーブル”の内、“受付番号”が“100100001”に関係するデータをコピーする。コピーした“(1)履歴事案管理テーブル”の“受付番号”を“100100001”から“100100002”に、“事案番号”を“１”から“2”に変更して図３の“(1)履歴事案管理テーブル”に保存した後、ＳＴ５に進む。
【００２５】
ＳＴ５で、事案作成手段４が、図３の“(2)履歴事案通報者テーブル”および“(3)履歴事案傷病者テーブル”のデータに示すように、傷病者に関するデータを新規の“受付番号”と“事案番号”で作成する。作成手順を以下に示す。取得した分割前出動事案データの“(2)履歴事案通報者テーブル”および“(3)履歴事案傷病者テーブル”の内、受付番号が“100100001”に関係するデータをコピーする。コピーした“(2)履歴事案通報者テーブル”および“(3)履歴事案傷病者テーブル”の“受付番号”を“100100001”から“100100002”に変更して図３の“(2)履歴事案通報者テーブル”、“(3)履歴事案傷病者テーブル”に保存した後、ＳＴ６に進む。
【００２６】
ＳＴ６で、事案作成手段４が、図３の“(4)履歴事案車両テーブル”、“(5)履歴事案動態テーブル”、“(6)管理車両動態テーブル”のデータに示すように、救急車に関係する“受付番号”と“事案番号”を変更する。作成手順を以下に示す。取得した分割前出動事案データの“(4)履歴事案車両テーブル”、“(5)履歴事案動態テーブル”、“(6)管理車両動態テーブル”の内、“車種コード”が“６（救急車）”に関係する受付番号を一つ選択し、選択した“受付番号”を“100100002”に変更する。これにより、救急車に関連する情報は、出動事案とは別の救急事案になり、元の事案から救急車の情報が削除された状態となる。“受付番号”を変更後、ＳＴ７に進む。
【００２７】
ＳＴ７で、事案作成手段４が、図３の“(7)履歴事案分割ログテーブル”のデータに示すように、“受付番号”と“事案番号”を変更した履歴を残す。この“(7)履歴事案分割ログテーブル”は、事案を分割した履歴を残すためのデータである。この“(7)履歴事案分割ログテーブル”には、分割前の“受付番号”と“事案番号”、分割後の“受付番号”と“事案番号”などのデータが記憶されている。救急事案を別事案として作成した後は、ＳＴ２に戻る。
【００２８】
もし、出動事案に“６（救急車）”が複数あった場合は、複数の中から一つを選択して、“受付番号”および“事案番号”を新しい番号に変更する。この作業を繰り返して全ての救急車に対して個別に救急事案を作成する。もし、“６（救急車）”が単数だった場合、一回目の作業で“救急車”は別の事案になっている為、本フローチャートの処理を終了する（ＥＮＤ）。
【００２９】
図２の分割前出動事案データの“(4)履歴事案車両テーブル”〜“(6)管理車両動態テーブル”の“車両コード”に示されるように消防車が一台（車両コード４、車種コード２）、救急車が一台（車両コード６、車種コード６）出動した場合を本実施例として、図２に示す分割前出動事案データから図３に示す分割後出動事案データを作成する手順を以下に説明する。
【００３０】
図５のフローチャートに示すように、ＳＴ３まで進む。本実施例は、消防車（車両コード４、車種コード２）と、救急車（車両コード６、車種コード６）から構成されている。車種選別手段３が図２の“(4)履歴事案車両テーブル”から“車種コード”が“６（救急車）”である緊急車両を選別する。車種選別手段３が図２の“(4)履歴事案車両テーブル”の“車種コード”から“６（救急車）”を選別し終わった後、ＳＴ４に進む。
【００３１】
ＳＴ４で、事案作成手段４が図２の“(1)履歴事案管理テーブル”から図３の“(1)履歴事案管理テーブル”を作成する。具体的には、図２の“(1)履歴事案管理テーブル”の“受付番号”が“100100001”に関係するデータをコピーし、コピーしたデータの“受付番号”を“100100001”から“100100002”に、“事案番号”を“1”から“2”にそれぞれ変更して図３の“(1)履歴事案管理テーブル”に保存する。保存後、ＳＴ５に進む。
【００３２】
ＳＴ５で、事案作成手段４が図２の“(2)履歴事案通報者テーブル”および“(3)履歴事案傷病者テーブル”から図３の“(2)履歴事案通報者テーブル”および“(3)履歴事案傷病者テーブル”を作成する。具体的には、図２の“(2)履歴事案通報者テーブル”および“(3)履歴事案傷病者テーブル”の内、“受付番号”が“100100001”に関係するデータをコピーし、“受付番号”を“100100001”から“100100002”に変更して図３の“(2)履歴事案通報者テーブル”および“(3)履歴事案傷病者テーブル”に保存する。保存後、ＳＴ６に進む。
【００３３】
ＳＴ６で、事案作成手段４が図２の“(4)履歴事案車両テーブル”、“(5)履歴事案動態テーブル”、“(6)管理車両動態テーブル”から図３の“(4)履歴事案車両テーブル”、“(5)履歴事案動態テーブル”、“(6)管理車両動態テーブル”を作成する。具体的には、“(4)履歴事案車両テーブル”、“(5)履歴事案動態テーブル”、“(6)管理車両動態テーブル”の内、“車種コード”が“６（救急車）”に関係するデータを一つ選択し、選択したデータの“受付番号”を“100100001”から“100100002”に変更して図３の“(4)履歴事案車両テーブル”、“(5)履歴事案動態テーブル”、“(6)管理車両動態テーブル”それぞれに保存する。保存後、ＳＴ７に進む。
【００３４】
ＳＴ７で、事案作成手段４が図３の“(7)履歴事案分割ログテーブル”を作成する。具体的には、図３の“(7)履歴事案分割ログテーブル”の“分割前受付番号”に“100100001”を入力し、“分割後受付番号”に“100100002”を入力する。また、“分割前事案番号”には“1”を入力し、“分割後事案番号”には“2”を入力する。“(7)履歴事案分割ログテーブル”を作成し終わったあと、ＳＴ２に戻る。
【００３５】
ＳＴ２で、分割後出動事案データの“受付番号”が“100100001”に関係する緊急車両の車種を選別する。選別後、ＳＴ３に進む。
【００３６】
ＳＴ３では、図３に示すように“受付番号”が“100100001”に関係する出動事案データには“車両コード”が“6”のデータはない。よって、本フローチャートの処理を終了する（ＥＮＤ）。
【００３７】
以上の作業を繰り返すことで、本発明の緊急指令システムは、出動事案から災害事案と救急事案を分割し作成することができる。よって、消防本部の職員が手作業で災害事案と救急事案を作成する必要がなく、作業量が増えることがない。
【００３８】
なお、“事案番号”と“受付番号”を変更したことは、緊急車両に乗っている隊員は認識できない。そこで、緊急車両に乗っている隊員が事案内容を確認する際に、データが見つからないということが無いように以下の対策を行う。
【００３９】
緊急車両から事案内容の確認要請があった場合、消防本部の指令台は図３に示す“(7)履歴事案分割ログテーブル”を参照する。これにより、事案内容の確認要請を行った緊急車両が“事案番号”と“受付番号”の変更になった緊急車両かどうかを判断できる。もし、変更になった緊急車両である場合は、変更後の“事案番号”と“受付番号”に関する事案内容をその緊急車両に送信する。以上より、緊急車両の事案内容の確認要請にも容易に対応できる。
【符号の説明】
【００４０】
１  入力手段
２  事案管理手段
３  車種選別手段
４  事案作成手段
５  制御手段
【図１】
2013030046.tif 000003
【図２】
2013030046.tif 000004
【図３】
2013030046.tif 000005
【図４】
2013030046.tif 000006
【図５】
2013030046.tif 000007
【図６】
2013030046.tif 000008